【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
（Ａ）熱可塑性樹脂１００重量部に対し、（Ｂ）３個以上の官能基を有する化合物を０．１〜１０重量部および２種以上の（Ｃ）前記（Ｂ）以外の化合物である反応性末端封鎖剤を０．０１〜１０重量部配合してなる熱可塑性樹脂組成物。
【請求項２】
（Ｂ）３個以上の官能基を有する化合物が、３個以上の官能基を有する多官能性化合物であって、官能基を有する末端構造の少なくとも１個が式（１）で表される構造である化合物である請求項１に記載の熱可塑性樹脂組成物。
−（Ｏ−Ｒ）ｎ−Ｘ （１）
（Ｒは、炭素数１〜１５の炭化水素基を表し、ｎは、１〜１０の整数を表し、Ｘは、水酸基、アルデヒド基、カルボキシル基、スルホ基、アミノ基、グリシジル基、イソシアネート基、オキサゾリン基、オキサジン基、シラノール基から選択される少なくとも１種の官能基を表す。）
【請求項３】
（Ｂ）３個以上の官能基を有する化合物がアルキレンオキシド単位を１個以上含むことを特徴とする請求項１に記載の熱可塑性樹脂組成物。
【請求項４】
（Ｃ）反応性末端封鎖剤が、エポキシ化合物、カルボジイミド化合物、オキサゾリン化合物、オキサジン化合物、酸無水物基を含有する化合物から選択される２種以上の化合物を含むものである請求項１〜３のいずれかに記載の熱可塑性樹脂組成物。
【請求項５】
（Ｂ）３個以上の官能基を有する化合物の官能基が、水酸基、カルボキシル基、アミノ基、グリシジル基、イソシアネート基、エステル基、アミド基から選択される少なくとも１種の基である請求項１〜４のいずれかに記載の熱可塑性樹脂組成物。
【請求項６】
（Ａ）熱可塑性樹脂が、ポリエステル樹脂、ポリカーボネート樹脂、ポリアミド樹脂から選ばれた１種以上であることを特徴とする請求項１〜５のいずれかに記載の熱可塑性樹脂組成物。
【請求項７】
さらに（Ｄ）反応触媒を配合してなる請求項１〜６のいずれかに記載の熱可塑性樹脂組成物。
【請求項８】
さらに（Ｅ）無機充填剤を配合してなる請求項１〜７のいずれかに記載の熱可塑性樹脂組成物。
【請求項９】
さらに（Ｆ）耐衝撃性改良剤を配合してなる請求項１〜８のいずれかに記載の熱可塑性樹脂組成物。
【請求項１０】
請求項１〜９のいずれかに記載の熱可塑性樹脂組成物を製造する際に、二軸押出機のスクリュー長さをＬ、スクリュー直径をＤとすると、Ｌ／Ｄ＞３０の二軸押出機を使用して溶融混練する熱可塑性樹脂組成物の製造方法。
【請求項１１】
請求項１〜９のいずれかに記載の熱可塑性樹脂組成物を成形してなる成形品。
【手続補正２】
【補正対象書類名】明細書
【補正対象項目名】０００８
【補正方法】変更
【補正の内容】
【０００８】
すなわち、本発明は、
（１）（Ａ）熱可塑性樹脂１００重量部に対し、（Ｂ）３個以上の官能基を有する化合物を０．１〜１０重量部および２種以上の（Ｃ）前記（Ｂ）以外の化合物である反応性末端封鎖剤を０．０１〜１０重量部配合してなる熱可塑性樹脂組成物、
（２）（Ｂ）３個以上の官能基を有する化合物が、３個以上の官能基を有する多官能性化合物であって、官能基を有する末端構造の少なくとも１個が式（１）で表される構造である化合物である（１）に記載の熱可塑性樹脂組成物、
−（Ｏ−Ｒ）ｎ−Ｘ （１）
（Ｒは、炭素数１〜１５の炭化水素基を表し、ｎは、１〜１０の整数を表し、Ｘは、水酸基、アルデヒド基、カルボキシル基、スルホ基、アミノ基、グリシジル基、イソシアネート基、オキサゾリン基、オキサジン基、シラノール基から選択される少なくとも１種の官能基を表す。）
（３）（Ｂ）３個以上の官能基を有する化合物がアルキレンオキシド単位を１個以上含むことを特徴とする（１）に記載の熱可塑性樹脂組成物、
（４）（Ｃ）反応性末端封鎖剤が、エポキシ化合物、カルボジイミド化合物、オキサゾリン化合物、オキサジン化合物、酸無水物基を含有する化合物から選択される２種以上の化合物を含むものである（１）〜（３）のいずれかに記載の熱可塑性樹脂組成物、
（５）（Ｂ）３個以上の官能基を有する化合物の官能基が、水酸基、カルボキシル基、アミノ基、グリシジル基、イソシアネート基、エステル基、アミド基から選択される少なくとも１種の基である（１）〜（４）のいずれかに記載の熱可塑性樹脂組成物、
（６）（Ａ）熱可塑性樹脂がポリエステル樹脂、ポリカーボネート樹脂、ポリアミド樹脂から選ばれた１種以上であることを特徴とする（１）〜（５）のいずれかに記載の熱可塑性樹脂組成物、
（７）さらに（Ｄ）反応触媒を配合してなる（１）〜（６）のいずれかに記載の熱可塑性樹脂組成物、
（８）さらに（Ｅ）無機充填剤を配合してなる（１）〜（７）のいずれかに記載の熱可塑性樹脂組成物、
（９）さらに（Ｆ）耐衝撃性改良剤を配合してなる（１）〜（８）のいずれかに記載の熱可塑性樹脂組成物、
（１０）（１）〜（９）のいずれかに記載の熱可塑性樹脂組成物を製造する際に、二軸押出機のスクリュー長さをＬ、スクリュー直径をＤとすると、Ｌ／Ｄ＞３０の二軸押出機を使用して溶融混練する熱可塑性樹脂組成物の製造方法、
（１１）（１）〜（９）のいずれかに記載の熱可塑性樹脂組成物を成形してなる成形品、
を提供するものである。
【手続補正３】
【補正対象書類名】明細書
【補正対象項目名】００３７
【補正方法】変更
【補正の内容】
【００３７】
本発明において、流動性および機械特性に優れるという点で、（Ｂ）成分としては、（Ｂ）３個以上の官能基を有する多官能性化合物であって、官能基を有する末端構造の少なくとも１個が式（１）で表される構造である化合物であることが好ましく、特に流動性および機械特性に優れるという点で、（Ｂ）成分が、（Ｂ）３個以上の官能基を有する多官能性化合物であって、官能基を有する末端構造の２個以上が式（１）で表される構造である化合物であることがより好ましく、（Ｂ）成分中の官能基を有する末端構造の３個以上が式（１）で表される構造である化合物であることがさらに好ましく、（Ｂ）成分中の官能基を有する末端構造の全てが式（１）で表される構造である化合物であることが最も好ましい。
−（Ｏ−Ｒ）ｎ−Ｘ （１）
ここで、Ｒは、炭素数１〜１５の炭化水素基を表し、ｎは、１〜１０の整数を表し、Ｘは、水酸基、アルデヒド基、カルボキシル基、スルホ基、アミノ基、グリシジル基、イソシアネート基、オキサゾリン基、オキサジン基、シラノール基から選択される少なくとも１種の官能基を表す。
【手続補正４】
【補正対象書類名】明細書
【補正対象項目名】００３８
【補正方法】変更
【補正の内容】
【００３８】
本発明においては、流動性、リサイクル性、耐久性および機械物性などが優れるという点で、Ｒは、アルキレン基を表し、ｎは、１〜７の整数を表し、Ｘは、水酸基、カルボキシル基、アミノ基、グリシジル基、イソシアネート基から選択される少なくとも１種の官能基を表すことが好ましく、Ｒは、アルキレン基を表し、ｎは、１〜５の整数を表し、Ｘは、水酸基、カルボキシル基、アミノ基、グリシジル基から選択される少なくとも１種の官能基を表すことがより好ましく、Ｒは、アルキレン基を表し、ｎは、１〜４の整数を表し、Ｘは、水酸基、アミノ基、グリシジル基から選択される少なくとも１種の官能基を表すことがさらに好ましく、Ｒは、アルキレン基を表し、ｎは、１〜３の整数を表し、Ｘは、水酸基であることが特に好ましい。なお、本発明において、Ｒが、アルキレン基の場合、式（１）で表される構造は、アルキレンオキシド単位を含有する構造を示す。